(57)【要約】【課題】パチンコ遊技機等が設置された遊技場を管理するためのシステムであって、計数玉と理論上の獲得玉の差であるいわゆる誤差玉を適切に集計可能な遊技場用管理システムを提供すること。【解決手段】遊技場用管理システム１は、理論獲得数を算出する理論獲得数算出手段１１１と、実獲得数を計数する計数手段５１と、理論獲得数から実獲得数を差し引いた計数誤差を計数毎に算出する計数誤差算出手段５２と、計数誤差を特定可能な計数毎の計数レコードを含む履歴情報を記憶する履歴記憶手段１２１と、予め設定されたしきい値との比較により計数毎の計数誤差を正側の第１計数誤差又は負側の第２計数誤差に区別する誤差分類手段１１２と、第１計数誤差の合計である第１合計誤差、及び第２計数誤差の合計である第２合計誤差のうちの少なくともいずれか一方を算出する合計誤差算出手段１１３と、を備えている。【選択図】図１
2010082243.tif 000002
【特許請求の範囲】
【請求項１】
遊技者が獲得した理論上の遊技媒体数である理論獲得数を算出可能な遊技情報を遊技機側から受信する受信手段と、該受信手段が受信した前記遊技情報に基づいて前記理論獲得数を算出する理論獲得数算出手段と、遊技者が実際に獲得した遊技媒体数である実獲得数を計数する計数手段と、前記理論獲得数から前記実獲得数を差し引いた計数誤差を計数毎に算出する計数誤差算出手段と、を備えた遊技場用管理システムにおいて、
前記計数誤差を特定可能な計数毎の計数レコードを含む履歴情報を記憶する履歴記憶手段と、
予め設定されたしきい値との比較により計数毎の前記計数誤差を正側の第１計数誤差又は負側の第２計数誤差に区別する誤差分類手段と、
前記第１計数誤差の合計である第１合計誤差、及び前記第２計数誤差の合計である第２合計誤差のうちの少なくともいずれか一方を算出する合計誤差算出手段と、
前記第１合計誤差及び前記第２合計誤差の少なくともいずれかを出力する出力手段と、を備えたことを特徴とする遊技場用管理システム。
【請求項２】
前記合計誤差算出手段は、前記第１合計誤差及び前記第２合計誤差を算出し、
前記出力手段は、前記第１合計誤差が第１のしきい値以上であって、かつ、前記第２合計誤差が第２のしきい値以下である場合に前記第２合計誤差を出力し、それ以外の場合には前記第２合計誤差を出力しないように構成されていることを特徴とする請求項１に記載の遊技場用管理システム。
【請求項３】
前記計数毎の計数レコードは、前記実獲得数に当たる遊技媒体が獲得された遊技機を特定するための遊技機ＩＤ及び計数時刻を特定可能であり、
前記第１計数誤差を遊技機毎に集計した台毎合計誤差についてのランキングである第１誤差ランキング、及び前記第２計数誤差のランキングである第２誤差ランキングを作成するランキング手段を備え、
前記出力手段は、前記遊技機ＩＤを対応付けて前記第１誤差ランキングを出力でき、前記計数時刻を対応付けて前記第２誤差ランキングを出力できるように構成されていることを特徴とする請求項１又は２に記載の遊技場用管理システム。
【請求項４】
前記計数毎の計数レコードは、遊技に使用された遊技媒体数である使用媒体数に相関を有する参照データを特定可能であり、
補正対象の計数レコードである対象レコードを除く前記各計数レコードにより特定される前記参照データの合計値に対する前記計数誤差の合計値の比率に前記対象レコードにより特定される前記参照データを乗じた値を、前記対象レコードに対応する前記理論獲得数から差し引いた補正理論獲得数を算出する理論獲得数補正手段と、
前記補正理論獲得数から前記対象レコードに対応する前記実獲得数を差し引いて補正計数誤差を算出する計数誤差補正手段と、を備えたことを特徴とする請求項１〜３のいずれか１項に記載の遊技場用管理システム。
【請求項５】
前記補正誤差算出手段が算出した前記補正計数誤差が所定値以上であるか否かを判定する判定手段を備え、
前記出力手段は、前記判定手段による前記計数レコード毎の判定結果を識別可能なように前記履歴情報を出力するように構成されていることを特徴とする請求項４に記載の遊技場用管理システム。
【請求項６】
前記誤差分類手段は、前記判定手段により所定値以上ではないと判定された補正計数誤差を第３計数誤差として分類し、
前記合計誤差算出手段は、前記第３計数誤差の合計である第３合計誤差を算出し、
前記出力手段は、前記第３合計誤差を出力するように構成されていることを特徴とする請求項５に記載の遊技場用管理システム。
【発明の詳細な説明】
【技術分野】
【０００１】
本発明は、パチンコ遊技機が設置された遊技場を管理するための遊技場用管理システムに関する。
【背景技術】
【０００２】
従来より、例えば、パチンコ遊技機（以下、遊技機）が設置された遊技場においては、遊技客が遊技により獲得した遊技媒体（以下、玉）が計数機により計数され、景品交換が行われている。遊技場用管理システムとしては、計数対象の玉を獲得した遊技機の遊技機ＩＤを計数時に入力させ、その遊技機における貸出玉と差玉との合算値である理論上の獲得玉と計数玉とを照合するシステムがある。この遊技場用管理システムでは、理論上の獲得玉と計数玉との差を誤差玉として監視し、遊技場経営に役立てようとしている（特許文献１、２参照。）
【０００３】
誤差玉の監視方法としては、例えば、計数毎の誤差玉を監視する方法や、遊技場全体の誤差玉を監視する方法等がある。計数毎の誤差玉を監視する方法では、計数毎に誤差玉を算出すると共に、その誤差玉が許容範囲内に収まっているか否かを判定することにより誤差玉を監視している（例えば、特許文献１参照。）。遊技場全体の誤差玉を監視する方法では、遊技場全体の理論上の獲得玉と計数玉とをそれぞれ精算し、その差数を合計誤差玉として算出し、その合計誤差玉が許容範囲内に収まっているか否かを判定することにより誤差玉を監視している（例えば、特許文献２参照。）。
【０００４】
上記のように誤差玉を監視する目的としては、大きく分類して次の２つの目的がある。すなわち、正常な遊技によっては獲得し得ない不正玉を含む不正計数を検知する目的と、差玉や貸出玉等を集計する装置における配線ミス等に起因した集計異常を検知する目的である。
【０００５】
しかしながら、前記従来の遊技場用管理システムでは、次のような問題がある。すなわち、計数毎の誤差玉を監視する方法では、計数毎の誤差玉が許容範囲内に収まるような不正計数を検出できないため、このような不正計数が繰り返し行われるおそれがある。遊技場全体の誤差玉を監視する方法では、誤差玉の集計期間において不正計数と集計異常とが併発すると両者が相殺され、不正計数及び集計異常が発生したにも関わらず誤差玉が許容範囲内に収まってしまうおそれがある。
【０００６】
【特許文献１】特開２００３−１８１１０３号公報
【特許文献２】特開２００８−７３４２６号公報
【発明の開示】
【発明が解決しようとする課題】
【０００７】
本発明は、前記従来の問題点に鑑みてなされたものであり、パチンコ遊技機等が設置された遊技場を管理するためのシステムであって、計数玉と理論上の獲得玉の差であるいわゆる誤差玉を適切に集計可能な遊技場用管理システムを提供することを目的とする。
【課題を解決するための手段】
【０００８】
本発明は、遊技者が獲得した理論上の遊技媒体数である理論獲得数を算出可能な遊技情報を遊技機側から受信する受信手段と、該受信手段が受信した前記遊技情報に基づいて前記理論獲得数を算出する理論獲得数算出手段と、遊技者が実際に獲得した遊技媒体数である実獲得数を計数する計数手段と、前記理論獲得数から前記実獲得数を差し引いた計数誤差を計数毎に算出する計数誤差算出手段と、を備えた遊技場用管理システムにおいて、
前記計数誤差を特定可能な計数毎の計数レコードを含む履歴情報を記憶する履歴記憶手段と、
予め設定されたしきい値との比較により計数毎の前記計数誤差を正側の第１計数誤差又は負側の第２計数誤差に区別する誤差分類手段と、
前記第１計数誤差の合計である第１合計誤差、及び前記第２計数誤差の合計である第２合計誤差のうちの少なくともいずれか一方を算出する合計誤差算出手段と、
前記第１合計誤差及び前記第２合計誤差の少なくともいずれかを出力する出力手段と、を備えたことを特徴とする遊技場用管理システムにある（請求項１）。
【０００９】
本発明の遊技場用管理システムは、前記計数誤差を正側の前記第１誤差又は負側の前記第２誤差に分類する前記誤差分類手段と、前記第１誤差に分類された前記計数誤差の合計である前記第１合計誤差、及び前記第２誤差に分類された前記計数誤差の合計である前記第２合計誤差のうちの少なくともいずれか一方を算出する前記合計誤差算出手段と、を備えている。前記計数毎の計数誤差を予め前記第１誤差又は前記第２誤差に分類すれば、前記第１合計誤差あるいは前記第２合計誤差を効率良く算出可能であり、前記第１誤差に属する正側の計測誤差と、前記第２誤差に属する負側の計測誤差との和により、両者が相殺されてしまうおそれを未然に回避できる。
【００１０】
前記第１合計誤差に基づけば、遊技場内で集計異常が発生しているか否かを精度高く把握し得る。また、前記第２合計誤差に基づけば、不正計数が発生したか否かを把握できる。特に、集計異常の影響が抑制された前記第２合計誤差によれば、遊技場全体として不正計数に対応する必要性の度合いを精度高く把握することができる。
【００１１】
以上のように、本発明の遊技場用管理システムは、計数玉と理論上の獲得玉の差であるいわゆる誤差玉を適切に集計可能な優れた特性のシステムである。
【００１２】
本発明の遊技場用管理システムにおける前記合計誤差算出手段は、前記第１合計誤差及び前記第２合計誤差を算出し、
前記出力手段は、前記第１合計誤差が第１のしきい値以上であって、かつ、前記第２合計誤差が第２のしきい値以下である場合に前記第２合計誤差を出力し、それ以外の場合には前記第２合計誤差を出力しないことが好ましい（請求項２）。
【００１３】
この場合には、前記第１合計誤差が第１のしきい値以上であって、かつ、前記第２合計誤差が第２のしきい値以下である場合にのみ前記第２合計誤差が出力されるようになる。そのため、前記第２合計誤差が出力された場合には、前記第１合計誤差が第１のしきい値以上であって、かつ、前記第２合計誤差が第２のしきい値以下であることが一目瞭然になる。
【００１４】
また、前記計数毎の計数レコードは、前記実獲得数に当たる遊技媒体が獲得された遊技機を特定するための遊技機ＩＤ及び計数時刻を特定可能であり、
前記第１計数誤差を遊技機毎に集計した台毎合計誤差についてのランキングである第１誤差ランキング、及び前記第２計数誤差のランキングである第２誤差ランキングを作成するランキング手段を備え、
前記出力手段は、前記遊技機ＩＤを対応付けて前記第１誤差ランキングを出力でき、前記計数時刻を対応付けて前記第２誤差ランキングを出力できることが好ましい（請求項３）。
【００１５】
この場合には、前記第１誤差ランキングにより異常計数が発生している遊技機を容易に把握できると共に、前記第２誤差ランキングにより不正計数の頻度が高い時間帯を把握できるようになる。ランキングとしては、大きい順のランキングや、小さい順のランキング等、様々なランキングがある。
【００１６】
また、前記計数毎の計数レコードは、遊技に使用された遊技媒体数である使用媒体数に相関を有する参照データを特定可能であり、
補正対象の計数レコードである対象レコードを除く前記各計数レコードにより特定される前記参照データの合計値に対する前記計数誤差の合計値の比率に前記対象レコードにより特定される前記参照データを乗じた値を、前記対象レコードに対応する前記理論獲得数から差し引いた補正理論獲得数を算出する理論獲得数補正手段と、
前記補正理論獲得数から前記対象レコードに対応する前記実獲得数を差し引いて補正計数誤差を算出する計数誤差補正手段と、を備えていることが好ましい（請求項４）。
この場合には、集計異常による影響を排除するように補正した前記補正計数誤差を活用することで一層、精度高く不正計数を検知できるようになる。
【００１７】
また、前記補正誤差算出手段が算出した前記補正計数誤差が所定値以上であるか否かを判定する判定手段を備え、
前記出力手段は、前記判定手段による前記計数レコード毎の判定結果を識別可能なように前記履歴情報を出力することが好ましい（請求項５）。
この場合には、前記出力手段が出力する前記履歴情報に基づいて、不正計数を容易に把握できるようになる。
【００１８】
また、前記誤差分類手段は、前記判定手段により所定値以上ではないと判定された補正計数誤差を第３計数誤差として分類し、
前記合計誤差算出手段は、前記第３計数誤差の合計である第３合計誤差を算出し、
前記出力手段は、前記第３合計誤差を出力することが好ましい（請求項６）。
この場合には、前記第３合計誤差に応じて、遊技場全体における不正計数の発生度合いを精度高く把握できるようになる。
【発明を実施するための最良の形態】
【００１９】
本発明の実施の形態につき、以下の実施例を用いて具体的に説明する。
（実施例１）
本例は、遊技により獲得された理論上の遊技媒体の獲得数である持玉（理論獲得数）から、遊技者が実際に獲得した遊技媒体の獲得数である計数玉（実獲得数）を差し引いた誤差玉（計数誤差）を適切に管理可能な遊技場用管理システム１に関する例である。この内容について、図１〜図９を用いて説明する。
【００２０】
本例の遊技場用管理システム１（以下、管理システム１という。）は、図１に示すごとく、遊技場に設置された遊技機２、計数機５及び管理装置１０を含むシステムである。管理システム１では、図１に示すごとく、遊技機２、玉回収装置（図示略）や貸出装置３等が接続された中継器４、計数機５、及び管理装置１０が通信ネットワーク４０に接続されている。本例では、通信ネットワーク４０としてＣＡＮ（Controller Area Network）を採用している。通信ネットワーク４０としては、本例のＣＡＮに代えて、ＭＯＳＴやイーサネット（Ｒ）など、様々なＬＡＮ規格等の仕様を採用可能である。
【００２１】
遊技機２は、図１に示すごとく、いわゆるセブン機と呼ばれるパチンコ機である。遊技機２は、始動ロ２１への入賞に応じて大当たり抽選を行い、表示部２５に表示される抽選結果に応じて大当たり状態を発生させる。本例の遊技機２では、大当たりが発生し易い確変状態及び時短状態が設定されている。
【００２２】
貸出装置３は、図１に示すごとく、遊技に使用する玉を貸し出す（払い出す）装置である。貸出装置３は、各遊技機２に個別に対応するよう、隣り合う他の遊技機２との台間スペースに設置されている。貸出装置３は、貨幣等を対価として所定数の玉（１００円相当２５玉）を貸し出す毎の売上信号を遊技信号として出力する。
【００２３】
貸出装置３は、貸玉代金としての貨幣を投入する貨幣投入口３１と、遊技情報等を表示するタッチパネル式の液晶表示部３２と、会員カードあるいは計数カードを挿入するカードスリット３３を含むカード読取部（図示略）と、玉を払い出す払出ノズル３５と、を備えている。
【００２４】
中継器４は、図１に示すごとく、遊技機２、図示しない玉回収装置及び貸出装置３に接続され、貸出装置３を含む遊技機２側と管理装置１０との中継処理（情報の送受信）を実行する装置である。中継器４は、各遊技機２及び貸出装置３が出力する遊技信号に台番（遊技機ＩＤ）を関連付けて通信ネットワーク４０に送出すると共に、台番が関連付けされた通信情報を通信ネットワーク４０から取り込むように構成されている。
【００２５】
中継器４は、以下の遊技信号を通信ネットワーク４０に向けて送出する。
１）アウト信号：使用玉を回収する玉回収装置が出力する遊技信号。回収（使用、打込）玉１０玉毎に１パルス。アウト（使用媒体数）は、アウト信号数×１０玉となる。なお、アウト信号を出力可能な遊技機２であれば、玉回収装置を省略することも可能である。
２）セーフ信号：遊技機２が出力する遊技信号。払出玉１０玉毎に１パルス。セーフ（払出媒体数）は、セーフ信号数×１０玉となる。なお、玉補給装置からの補給信号をセーフ信号として利用することも可能である。
３）スタート信号：遊技機２が出力する遊技信号。始動ロ２１への入賞、あるいは始動口２１への入賞により変動（動作）する表示部２５（役物）における図柄変動（役物作動、スタート処理）１回につき１パルス。
４）大当たり信号：遊技機２が出力する遊技信号。大当たり中にレベル出力される状態信号。
５）確変信号：遊技機２が出力する遊技信号。確変状態あるいは時短状態の発生中にレベル出力される特別遊技状態信号。なお、時短状態の単独発生中、あるいは確変状態の単独発生中を表す状態信号を特別遊技状態信号として設定しても良い。
６）売上信号：貸出装置３が出力する遊技信号。遊技者に貸し出された遊技媒体（以下、貸出玉。）のうち、貨幣等の有価価値を対価とした貸出玉２５玉（１００円分）毎に１パルス。
【００２６】
管理装置１０は、図１に示すごとく、液晶ディスプレイ１５０や図示しないプリンタ等を含む出力部１５と、各種の演算処理を実行する装置本体１０と、キーボード１６０及び図示しないマウスを含む入力部１６とを備えている。装置本体１０は、演算処理を実行するＣＰＵを含む制御部１１のほか、ハードディスクドライブ（ＨＤＤ）、ＲＯＭ、ＲＡＭ等を含む記憶部１２、及び各種信号あるいは情報の入出力経路をなす通信ポート（図示略）を含む送受信部１３（Ｉ／Ｏ）を備えている。本例の管理装置１０は、送受信部１３を介して通信ネットワーク４０に接続され、送受信部１３を介して各遊技機２側から出力される遊技信号の受信、計数機５に向けて持玉情報の送信等を行う。
【００２７】
管理装置１０は、誤差玉を管理するための設定情報を入力部１６を介して設定可能であり、設定更新された新しい設定情報を計数機５に送信する。なお、設定情報の内容については、後で説明する。
【００２８】
送受信部１３は、遊技機２毎の遊技信号や計数機５による計数情報等を受信する受信手段１３１としての機能と、計数対象の遊技機２の持玉情報を計数機５に向けて送信等する送信手段１３２としての機能と、を備えている。
受信手段１３１は、１０玉使用された旨を表すアウト信号、遊技により１０玉払い出した旨を表すセーフ信号、１００円を対価として２５玉貸し出した旨を表す売上信号等の遊技信号を遊技機２毎に区別して受信する。さらに、受信手段１３１は、計数機５から計数対象の遊技機２の台番を特定可能な台番情報や、計数毎の計数情報を受信する。計数機５から受信する計数情報としては、計数対象の遊技機２の台番、計数玉、誤差玉（計数誤差）等がある。
送信手段１３２は、計数機５から台番情報を受信した際、その遊技機２に対応して持玉記憶手段１２３が記憶する持玉を特定可能な持玉情報を返信する。
【００２９】
出力部１５は、誤差玉に関する各種情報を出力する出力手段１５１としての機能を備えている。出力手段１５１は、液晶ディスプレイ１５０の表示画面上に各種情報を表示する。出力手段１５１は、後述する図８、図９のような帳票を出力可能である。
【００３０】
記憶部１２は、誤差玉を特定可能な計数毎の計数レコードを含む履歴情報を記憶する履歴記憶手段１２１と、計数に関する各種設定を記憶する設定記憶手段１２２と、各遊技機２の持玉を記憶する持玉記憶手段１２３と、を備えている。
【００３１】
設定記憶手段１２２は、図２に示すごとく、持玉許容値、計数正常値、判定対象、及び集計しきい値の設定情報を記憶する手段である。この設定情報は、入力部１６を介して入力された情報である。
１）持玉許容値：計数玉と持玉との差（誤差玉）の許容範囲。誤差玉が持玉許容値以下の場合に異常判定される。
２）計数正常値：持玉の集計誤差の要因である集計異常による影響を抑制した補正誤差玉（補正計数誤差）に対するしきい値。なお、補正誤差玉の算出方法については後述する。
３）判定対象：持玉許容値との比較による判定対象となる持玉。判定対象としては、持玉及び補正持玉（後述）の一方、あるいは両方を選択できる。本例は、判定対象として持玉と補正持玉の両方を選択した例である。
４）集計しきい値：誤差玉をプラス誤差玉（第１計数誤差）に分類するか、マイナス誤差玉（第２計数誤差）に分類するかのしきい値。集計しきい値以上の誤差玉がプラス誤差玉に分類され、集計しきい値未満の誤差玉がマイナス誤差玉に分類される。
【００３２】
持玉記憶手段１２３は、図３に示すごとく、遊技機２毎の持玉を記憶する手段である。持玉記憶手段１２３は、管理装置１０の後述する理論獲得数算出手段１１１が算出する遊技機２毎の持玉を記憶している。なお、持玉記憶手段１２３が記憶する持玉は、対応する遊技機２を対象とした計数毎にリセットされる。
【００３３】
履歴記憶手段１２１は、図４に示すごとく、計数玉、持玉、誤差玉等の計数毎の計数レコードを記憶する手段である。履歴記憶手段１２１が計数毎に記憶する計数レコードとしては、次の各データが含まれている。
１）台番：計数時に受け付けた遊技機２の台番（計数対象の遊技機２の台番）
２）計数時刻：計数が行われた時刻（計数機５から計数情報を受信した時刻）
３）持玉：台番で特定される遊技機２で獲得された理論上の遊技媒体数（理論獲得数）
４）計数玉：台番で特定される遊技機２で獲得された実際の遊技媒体数（実獲得数）
５）誤差玉：持玉から計数玉を差し引いた遊技媒体数（計数誤差）
６）誤差率：持玉に対する誤差玉の割合、すなわち誤差玉÷持玉。
７）参照誤差率：同じ台番の他の計数レコードのうち、異常判定された計数レコードを除いた参照レコードにおける平均誤差率、すなわち合計誤差玉÷合計持玉。合計誤差玉は、参照レコードにおける誤差玉の合計。合計持玉は、参照レコードにおける誤差玉の合計。例えば、計数Ｎｏ．１が対象レコードである場合の参照レコードは、Ｎｏ．１６、２２１、３６７、３８５、４１０となる。同じ台番の計数レコードであっても不正計数と判定されたＮｏ．３３９は、参照レコードから除外される。
８）補正持玉（補正理論獲得数）：玉回収装置のトラブル等に起因した持玉の集計異常を考慮して補正された持玉、すなわち持玉×（１−参照誤差率）。
９）補正誤差玉（補正計数誤差）：補正持玉から計数玉を差し引いた誤差玉
【００３４】
制御部１１は、図１に示すごとく、持玉を遊技機２毎に算出する理論獲得数算出手段１１１、計数毎の誤差玉を正側のプラス誤差玉（第１計数誤差）又は負側のマイナス誤差玉（第２計数誤差）として区別する誤差分類手段１１２、プラス誤差玉の合計である合計プラス誤差玉（第１合計誤差）、及びマイナス誤差玉の合計である合計マイナス誤差玉（第２合計誤差）を算出する合計誤差算出手段１１３、誤差玉に関する各種情報をランキング表示するランキング手段１１４、持玉を補正して補正持玉（補正理論獲得数）を算出する理論獲得数補正手段１１５、補正誤差玉（補正計数誤差）を算出する補正誤差算出手段１１６を備えている。
【００３５】
理論獲得数算出手段１１１は、遊技機２毎の持玉（理論獲得数）を算出する手段である。理論獲得数算出手段１１１は、売上信号を受信する毎に２５玉加算し、セーフ信号を受信する毎に１０玉加算し、アウト信号を受信する毎に１０玉減算することで、売上信号の受信回数に２５玉を乗じた売上玉とセーフ信号の受信回数に１０玉を乗じたセーフとの合計から、アウト信号の受信回数に１０玉を乗じたアウトを差し引いた持玉を集計する。このように算出された持玉は、前記持玉記憶手段１２３により記憶される。なお、計数機５から台番情報を受信した際、売上玉＋セーフ−アウトなる計算式により持玉を算出することも良い。
【００３６】
誤差分類手段１１２は、計数毎の誤差玉を区別する手段である。誤差分類手段１１２は、計数機５から受信した計数情報に基づく誤差玉のうち、前記集計しきい値（図２）を超える側の誤差玉をプラス誤差玉（第１計数誤差）とし、集計しきい値に満たない側の誤差玉をマイナス誤差玉（第２計数誤差）として区別する。
【００３７】
合計誤差算出手段１１３は、プラス誤差玉の合計である合計プラス誤差玉（第１合計誤差）、及びマイナス誤差玉の合計である合計マイナス誤差玉（第２合計誤差）を図５のごとく算出する手段である。なお、本例では、合計プラス誤差玉及び合計マイナス誤差玉を算出した例であるが、これに代えて、いずれか一方であっても良い。
【００３８】
ここで、前記合計プラス誤差玉及び前記合計マイナス誤差玉を含む図５の各遊技情報について説明する。同図の各遊技情報は、図４の遊技情報に基づいている。
１）合計持玉：持玉の合計
２）合計計数玉：計数玉の合計
３）合計誤差玉：誤差玉の合計
４）合計プラス誤差玉：プラス誤差玉の合計
５）合計マイナス誤差玉：マイナス誤差玉の合計
６）補正持玉：補正誤差が計数正常値以下である補正持玉の合計
７）補正誤差：計数正常値以下である補正誤差の合計
【００３９】
ランキング手段１１４は、誤差玉に関する各種情報をランキング表示する手段である。本例のランキング手段１１４によれば、誤差玉に関するランキング（図８、図９）を生成可能である。なお、図８、図９のランキングの内容については後述する。
【００４０】
理論獲得数補正手段１１５は、持玉を補正して補正持玉（補正理論獲得数）を図４のごとく算出する手段である。理論獲得数補正手段１１５は、まず、同じ台番の他の計数レコードのうち、集計異常と判定された計数レコードを除いた参照レコードにおける平均誤差率である参照誤差率＝合計誤差玉÷合計持玉を算出する。そして、持玉×（１−参照誤差率）なる計算式により、玉回収装置のトラブル等に起因した持玉の集計誤差（集計異常）を考慮して補正された持玉である補正持玉を算出する。
補正誤差算出手段１１６は、補正持玉から計数玉を差し引いて補正誤差玉（補正計数誤差）を図４のごとく算出する手段である。
【００４１】
計数機５は、図１に示すごとく、景品交換する玉（遊技媒体）の個数を計数して計数玉（実獲得数）を得るための装置である。計数機５は、玉を投入するための玉投入皿５０１、投入された玉を計数して計数玉を得る計数手段５１、計数毎の誤差玉（計数誤差）を算出する計数誤差算出手段５２、計数玉が記録された計数レシートを発行するレシート発行手段５３、管理装置１０との間で各種の情報を送受信する送受信手段５７、計数対象の遊技機２を特定するための台特定手段５４、計数毎に異常を判定する異常判定手段５５、異常を報知する異常報知手段５６を備えている。
【００４２】
計数手段５１は、玉投入皿５０１に投入された玉の個数を計数して計数玉を得る手段である。
計数誤差算出手段５２は、管理装置１０から受信した持玉情報に基づく持玉から計数玉を差し引くことにより誤差玉を算出する手段である。
【００４３】
台特定手段５４は、従業員が携帯する赤外線リモコンである図示しない携帯用端末と、計数機５本体に配設された信号受信部５４１との組合せよりなる。携帯用端末は、遊技機２の台番を特定可能なリモコン信号を計数機５本体に向けて送信可能な赤外線リモコンである。携帯用端末は、図示しないテンキーを備えている。携帯用端末は、テンキーにより入力された台番を特定可能なリモコン信号を出力する。信号受信部５４１は、赤外線受光部を介して受光したリモコン信号を復調し、携帯用端末で入力された台番を取得する。
【００４４】
なお、携帯用端末としては、赤外線通信を介して計数機５本体と通信可能な本例の携帯用端末に代えて、ＲＦＩＤ等の無線電波を介して本体側と通信する端末であっても良い。さらに、携帯用端末を含む本例の台特定手段５４に代えて、計数機５本体に設けたテンキーを含む台特定手段であっても良い。
【００４５】
レシート発行手段５３は、計数レシートを発行する手段である。このレシート発行手段５３が発行する計数レシートは、計数玉を表す数字が印刷された紙のレシートである。レシート発行手段５３は、発行釦５３１とレシート発行部５３２とを備えている。発行釦５３１は、計数レシートの発行を要求する際に遊技者あるいは遊技場の従業員が操作する押釦である。レシート発行部５３２は、発行釦５３１の操作に応じて計数レシートを発行する。計数レシートは、図示しないＰＯＳ等の交換装置により計数玉相当の景品と交換可能である。
【００４６】
送受信手段５７は、管理装置１０との間で各種の情報の送受信を行う手段である。計数機５から管理装置１０に向けて送信する情報としては、計数対象の遊技機２の台番（遊技機ＩＤ）を特定可能な台番情報、計数玉や誤差玉等を特定可能な計数情報がある。管理装置１０から受信する情報としては、計数対象の遊技機２に関する持玉や、補正持玉等を特定可能な持玉情報がある。なお、計数機５では、持玉確定フラグが規定されており、持玉情報を受信した際に持玉確定フラグがオン状態に設定される。
【００４７】
異常判定手段５５は、計数毎に異常判定を実行する手段である。異常判定手段５５は、持玉から計数玉を差し引いた誤差玉と、持玉許容値とを比較し、誤差玉が前記持玉許容値（図２）以下の場合に異常と判定する。
異常報知手段５６は、異常判定手段５５が異常と判定した際に異常報知を実行する手段である。異常報知手段５６は、音声等により異常報知を実行する。
【００４８】
次に、以上のように構成された管理装置１０の動作、及び計数機５の動作について、図６及び図７のフロー図を用いて説明する。図６は、管理装置１０による処理の流れを示している。図７は、計数機５による処理の流れを示している。
【００４９】
まず、管理装置１０による処理の流れについて説明する。管理装置１０は、まず、アウト信号の受信（Ｓ１０１）、セーフ信号の受信（Ｓ１０３）、及び売上信号の受信（Ｓ１０４）を判断する。アウト信号を受信した場合には（Ｓ１０１：ＹＥＳ）、持玉を１０個減算する（Ｓ１０２）。セーフ信号を受信した場合には（Ｓ１０３：ＹＥＳ）、持玉を１０個加算し（Ｓ１０５）、売上信号を受信した場合には（Ｓ１０４：ＹＥＳ）、持玉を２５個加算する（Ｓ１０５）。
【００５０】
計数機５から台番情報を受信した場合には（Ｓ１０６：ＹＥＳ）、図４に示す履歴情報中の計数レコードの中から台番が共通しており、かつ、異常と判定されていない計数レコードである参照レコードを抽出し（Ｓ１０７）、補正持玉を算出する（Ｓ１０８）。その後、持玉及び補正持玉を特定可能な持玉情報を計数機５に向けて送信し（Ｓ１０９）、持玉を初期化する（Ｓ１１０）。
計数機５から計数情報を受信した場合には（Ｓ１１１：ＹＥＳ）、履歴情報に追加する計数レコードを新規作成し（Ｓ１１２）、履歴情報を更新する（Ｓ１１３）。
【００５１】
次に、計数機５による処理の流れについて説明する。計数機５は、まず、玉投入皿５０１への玉の投入の有無、すなわち玉投入皿５０１の奥に設けられた図示しない計数センサが玉を検知したか否かを判断する（Ｓ２０１）。玉の投入が検知された場合には（Ｓ２０１：ＹＥＳ）、投入された玉の個数を計数玉に加算する（Ｓ２０２）。そして、持玉確定フラグのフラグ状態を判断する（Ｓ２０３）。持玉確定フラグがオフ状態である場合には（Ｓ２０３：ＹＥＳ）、遊技機２の台番、すなわち前記携帯用端末から台番を特定可能なリモコン信号を受付したか否かを判断する（Ｓ２０４）。台番を受付した場合には（Ｓ２０４：ＹＥＳ）、その台番を特定可能な台番情報を管理装置１０に向けて送信する（Ｓ２０５）。
【００５２】
その後、管理装置１０からの持玉情報の受信を判断する（Ｓ２０６）。持玉情報を受信した場合には（Ｓ２０６：ＹＥＳ）、持玉確定フラグをオン状態にセットする（Ｓ２０７）。さらに、発行釦５３１の押下操作がなされたか否かを判断する（Ｓ２０８）。発行釦５３１が押下操作された場合には（Ｓ２０８：ＹＥＳ）、計数玉を確定し（Ｓ２０９）、持玉確定フラグをゼロリセットする（Ｓ２１０）。
【００５３】
その後、持玉情報に基づく持玉から計数玉を差し引いた誤差玉を求め、持玉許容値（図２）と比較する（Ｓ２１１）。誤差玉が持玉許容値（図２参照。）を超えていれば（Ｓ２１１：ＹＥＳ）、計数情報を管理装置１０に向けて送信し（Ｓ２１２）、計数レシートの発行処理Ｐを実行する。一方、誤差玉が持玉許容値以下である場合には（Ｓ２１１：ＮＯ）、異常と判定して異常報知を実行する（Ｓ２２２）。なお、持玉確定フラグが１の場合（Ｓ２０３：ＮＯ、Ｓ２０６：ＹＥＳ）に限り発行釦５３１の押下操作の判断（Ｓ２０８）を行う一方、ゼロの場合（Ｓ２０６：ＮＯ）は発行釦５３１の押下操作の判断を行わない。そのため、計数レシートの発行処理Ｐは、持玉確定フラグが１に設定された場合のみ、すなわち持玉情報の受信を条件として許容される。
【００５４】
以上のような処理により集計された遊技情報を含む計数レコードの計数毎の履歴である図４の履歴情報に基づけば、次のような判断が可能である。同図の参照誤差率は、参照レコードの平均誤差率である。参照誤差率に基づき算出した補正持玉と計数玉とを照合すれば、対応する台番において、持玉の集計誤差の要因である集計異常を考慮した上で異常判定を実行することが可能となる。例えば、従来であれば、Ｎｏ．２８４は異常判定し、Ｎｏ．３３９は正常判定していた。しかし、Ｎｏ．２８４では、誤差率と参照誤差率との差が小さいため、集計異常が発生している可能性が高いと判断できる。また、補正誤差玉が正常値を示していることから、持玉が多いことによる誤差の範囲内であると判断できる。一方、Ｎｏ．３３９では、誤差率と参照誤差率との差が大きく、補正誤差も持玉許容値を下回っているため不正計数の可能性が高いとして異常判定できる。
【００５５】
なお、計数時の照合の際に従来と同様に持玉のみを判定対象とし、閉店処理などの集計時に補正持玉等を算出する構成であっても十分な効果がある。なぜなら、本案が問題視する不正は、１回当たりの損害が比較的少ない一方、何回も繰り返されるおそれがある不正であるからである。１回当たりの損害が大きい不正については、従来の不正判定により十分対処可能である。
【００５６】
また、前記図５の合計プラス誤差玉によれば、アウトＢＯＸにおける、いわゆるアウトこぼれ等の集計異常がある遊技機２の存在を把握できる。また、合計マイナス誤差玉によれば、遊技場外から持ち込まれた玉を計数する等の不正行為の発生を把握できる。本例の管理システム１では、プラス誤差玉とマイナス誤差玉とを区別して集計するため、両者が相殺されるおそれが少ない。
【００５７】
集計異常の要因としては、アウト、セーフ、売上信号等の異常がある。このうち、セーフと売上については、通常、払い出した玉数を遊技機２、あるいは貸出装置３が計数して信号出力する為、コネクタの接続不良や計数回路の異常のみが集計異常の要因となり、誤差となり難い。一方、アウトについては、それら要因にアウトこぼれの要因が加わるため、集計異常が発生し易い遊技情報となる。したがって、集計異常を検知するためには、プラス誤差玉を監視する必要がある。
【００５８】
さらに、本例の管理システム１によれば、図８、図９に示すようなランキング情報を出力可能である。図８は、プラス誤差玉を遊技機毎に集計した台毎合計誤差（同図では、「＋誤差」と表示。）の大きい順の第１誤差ランキングを示す図である。図９は、マイナス誤差玉の大きい順の第２誤差ランキングを示す図である。
【００５９】
第１誤差ランキングを示す図８によれば、持玉の集計誤差の要因である集計異常の可能性の高い遊技機を把握できる。なお、台番毎の平均誤差率の降順ランキングによっても同様の効果が得られる。さらになお、台番毎の平均誤差率の昇順ランキングによれば、セーフが少ない等の集計異常の把握が可能となる。プラス誤差玉に関するランキングの生成に当たっては、異常判定された計数レコードを除外するのが良い。
【００６０】
第２誤差ランキングを示す図９によれば、不正計数である可能性が高い計数を容易に把握できる。計数時刻を表示すれば、不正者が来店する時間帯を把握できるようになる。同図によれば、ランキング上位の計数はいずれも１７：００台に起きているので、その時刻を特に注意して不正者を警戒すれば、効率的に不正計数を防止できる可能性がある。なお、マイナス誤差玉のランキングを作成することも良い。
【００６１】
上記のように構成された本例の遊技場用管理システム１では、持玉と計数玉との差である誤差玉を計数毎に算出している。また、計数毎の誤差玉が集計しきい値（本例ではゼロ。図２参照。）以上であるプラス誤差玉の合計を合計プラス誤差玉、集計しきい値未満であるマイナス誤差玉の合計を合計マイナス誤差玉として集計している。このように本例の遊技場用管理システム１によれば、持玉の集計誤差の要因である集計異常を主要因としたプラス誤差玉と、不正計数を主要因としたマイナス誤差玉との相殺を未然に回避し、個別に管理可能である。
【００６２】
以上のように、本例の遊技場用管理システム１は、パチンコ遊技機等が設置された遊技場を管理するためのシステムであって、計数玉と理論上の獲得玉の差であるいわゆる誤差玉を適切に集計可能な優れたシステムである。
【００６３】
なお、本例は、図５に示すごとく、合計プラス誤差玉及び合計マイナス誤差玉を出力した例である。これに代えて、合計プラス誤差玉及び合計マイナス誤差玉のいずれか一方を選択的に出力することも良い。この場合、合計プラス誤差玉及び合計マイナス誤差玉に対して、それぞれのしきい値、あるいは共通のしきい値を設定することも良い。合計プラス誤差玉がしきい値以上であって、かつ、合計マイナス誤差玉がしきい値以下である場合には、売上情報等を含めた遊技情報の集計帳票において、合計誤差玉の代わりに、あるいは合計誤差玉と比較可能に合計プラス誤差玉及び合計マイナス誤差玉を出力することも良い。なお、不正計数のおそれがある合計マイナス誤差玉については、合計プラス誤差玉よりも優先して出力（選択式として合計マイナス誤差玉のみを出力する等）するのが良い。
【００６４】
また、遊技機２毎に計数装置が設置された、いわゆる台毎計数システムについて、本例の管理システムと同様のシステムを構築することも良い。この場合、計数装置が遊技機毎に設置された台毎計数システムでは、計数時に台番を受け付ける必要がない。すなわち、図８、図９のような遊技データを作成せず、遊技機２毎の貸出装置３等により補正持玉を算出すれば、図４のごとく台番を記憶する必要がなくなる。
【００６５】
本例は、計数時に補正持玉と計数玉とを照合可能にするため、台番情報を受信した際に補正持玉を算出した例である。計数時に持玉を参照するだけであれば、計数情報を受信した際に持玉、計数玉等の実データのみを更新し、データ集計時に一括して補正持玉等を算出することも良い。
【００６６】
また、計数機５による台番の受付方法としては、計数機５に設けた操作部を介して受け付けしたり、玉箱等に取り付けた台番タグの読み取りによる受け付け等、様々な方法を採用し得る。
本例は、参照誤差率の算出するための参照データとして持玉を採用した例である。参照データとしては、持玉に代えて、計数玉、アウト、あるいは遊技時間等を採用することができる。なお、本例では、持玉×（１−参照誤差率）なる演算式により補正持玉を算出している。これに代えて、この演算式を展開した、持玉−参照データ×参照誤差率なる演算式により補正持玉を算出することも可能である。
参照誤差率を算出する場合の参照データとしては、遊技機毎の参照レコードの誤差玉の平均割合を示せば、対象レコードあるいは異常判定された計数レコードを含めても良い。
【００６７】
本例では、合計プラス誤差玉及び合計マイナス誤差玉を算出した例であるが、これに代えて、補正持玉を算出するだけでも良い。
本例では、計数機による発行処理により計数レシートを発行しているが、計数レシートに代えて、ＩＣカード等の記憶媒体を発行することも良い。また、遊技者の識別情報（会員ＩＤや、指紋等）を読み取り、その識別情報と計数玉とを対応付ける処理を発行処理としても良い。すなわち、発行処理とは、所定の識別情報と計数玉とを対応付ける処理である。
【００６８】
また、本例では、台番情報の受信を条件として持玉を初期化したが、その他、従業員の携帯用端末からの信号や売上信号等の受信等、客交代と判定できる条件であれば、どのような条件を採用しても良い。
なお、管理装置１０による各種処理を貸出装置や中継装置等で実行するようにシステムの構成を変更することもできる。
さらに、管理対象とする遊技機はパチスロ等どのような遊技機であっても良く、対象となる遊技媒体もメダル等の遊技媒体であっても良い。
【００６９】
以上のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【図面の簡単な説明】
【００７０】
【図１】実施例１における、遊技場用管理システムの機能的な構成を示すブロック図。
【図２】実施例１における、設定記憶手段が記憶する設定情報を示す説明図。
【図３】実施例１における、持玉記憶手段が記憶する遊技機毎の持玉を示す説明図。
【図４】実施例１における、履歴記憶手段が記憶する履歴情報を示す説明図。
【図５】実施例１における、計数集計を示す説明図。
【図６】実施例１における、管理装置の処理を示すフロー図。
【図７】実施例１における、計数機の処理を示すフロー図。
【図８】実施例１における、第１誤差ランキングを示す説明図。
【図９】実施例１における、第２誤差ランキングを示す説明図。
【符号の説明】
【００７１】
１  遊技場用管理システム
１１１  理論獲得数算出手段
１１２  誤差分類手段
１１３  合計誤差算出手段
１１４  ランキング手段
１１５  理論獲得数補正手段
１１６  補正誤差算出手段
１２１  履歴記憶手段
１２２  設定記憶手段
１２３  持玉記憶手段
１３１  受信手段
１３２  送信手段
２  遊技機
３  貸出装置
４  中継器
５  計数機（計数手段）
５１  計数手段
５２  計数誤差算出手段
５３  レシート発行手段
５４  台特定手段
５５  異常判定手段
５６  異常報知手段
５７  送受信手段
【図１】
2010082243.tif 000003
【図２】
2010082243.tif 000004
【図３】
2010082243.tif 000005
【図４】
2010082243.tif 000006
【図５】
2010082243.tif 000007
【図６】
2010082243.tif 000008
【図７】
2010082243.tif 000009
【図８】
2010082243.tif 000010
【図９】
2010082243.tif 000011